(57)【特許請求の範囲】
【請求項１】
膨縮可能な流体袋を有するカフと、
前記流体袋を膨縮させる膨縮手段が内部に配設された本体ケーシングと、
前記流体袋と前記膨縮手段とを接続する可撓性の接続管と、
前記本体ケーシングから引き出されている前記接続管を、前記本体ケーシングの内部に設けられた接続管収容部に引き込み可能な引き込み手段とを備え、
前記本体ケーシングは、前記接続管を引き出すための開口部を有し、
前記接続管は、一端が前記流体袋に接続されたカフ側管部と、一端が前記膨縮手段に接続された本体ケーシング側管部と、前記カフ側管部の他端と前記本体ケーシング側管部の他端とを接続するコネクタとを含み、
前記コネクタは、前記開口部の周縁に当接することによって前記接続管がそれ以上前記本体ケーシングの内部に引き込まれないようにするためのストッパ部を構成し、これにより前記引き込み手段によって前記接続管が可能な限り前記接続管収容部に収容された状態において、前記カフ側管部が前記本体ケーシングの外部に位置するように構成され、
前記カフ側管部の他端は、前記コネクタに挿抜可能に接続され、
前記本体ケーシング側管部の他端は、前記コネクタに強固に固定されている、血圧計測装置。
【請求項２】
前記コネクタは、前記カフ側管部の他端が接続される第１接続口および前記本体ケーシング側管部の他端が接続される第２接続口が設けられた第１コネクタ部材と、前記第１コネクタ部材の前記第２接続口に取り付けられる第２コネクタ部材とを含み、
前記第１接続口の周囲には、前記カフ側管部の抜け防止のための第１突起部が設けられ、
前記第２接続口の周囲には、前記本体ケーシング側管部の抜け防止のための第２突起部が設けられ、
前記第２コネクタ部材の内側には、前記本体ケーシング側管部の抜け防止のための第３突起部が設けられ、
前記カフ側管部は、前記第１接続口に接続された状態において、前記第１突起部のみによって固定され、
前記本体ケーシング側管部は、前記第２接続口に接続された状態において、前記第２突起部と前記第３突起部とによって挟み込まれて固定されている、請求項１に記載の血圧計測装置。
【請求項３】
前記引き込み手段は、前記接続管収容部に引き込まれた前記接続管が巻き付けられる巻き付け部材を有している、請求項１または２に記載の血圧計測装置。
【請求項４】
前記引き込み手段は、前記巻き付け部材に連結された弾性部材を有し、
前記弾性部材の弾性力によって前記巻き付け部材が回転駆動され、これにより前記接続管が前記接続管収容部に引き込まれる、請求項３に記載の血圧計測装置。
【請求項５】
前記引き込み手段は、前記巻き付け部材に連結された駆動手段を有し、
前記駆動手段の駆動力によって前記巻き付け部材が回転駆動され、これにより前記接続管が前記接続管収容部に引き込まれる、請求項３に記載の血圧計測装置。
【請求項６】
前記引き込み手段は、前記巻き付け部材に連結された回転操作部を有し、
前記回転操作部の回転動作に伴って前記巻き付け部材が回転駆動され、これにより前記接続管が前記接続管収容部に引き込まれる、請求項３に記載の血圧計測装置。
【請求項７】
前記本体ケーシングは、前記カフを収容するためのカフ収容部と、前記カフ収容部を覆うように取り付けられた回動式の開閉カバーとを有し、
前記引き込み手段は、前記開閉カバーの回動動作に伴って生じる回転力を前記巻き付け部材に伝達する回転力伝達機構を有し、
前記開閉カバーの回動動作に伴って前記巻き付け部材が回転駆動され、これにより前記接続管が前記接続管収容部に引き込まれる、請求項３に記載の血圧計測装置。
【請求項８】
前記引き込み手段は、前記接続管収容部に引き込まれた前記接続管を蛇行状に収容する収容手段を有している、請求項１または２に記載の血圧計測装置。
【請求項９】
前記引き込み手段は、弾性部材を含み、
前記弾性部材の弾性力によって前記接続管が前記接続管収容部に引き込まれる、請求項１または２に記載の血圧計測装置。
【請求項１０】
前記引き込み手段は、駆動手段を含み、
前記駆動手段の駆動力によって前記接続管が前記接続管収容部に引き込まれる、請求項１または２に記載の血圧計測装置。
【請求項１１】
前記開口部が、前記本体ケーシングの前方側に向かって開口している、請求項１または２に記載の血圧計測装置。
【発明の詳細な説明】
【技術分野】
【０００１】
本発明は、カフと本体ケーシングとが可撓性を有する接続管にて接続された血圧計測装置（以下、単に血圧計とも称する）に関するものである。
【背景技術】
【０００２】
近年、高血圧を要因とする生活習慣病の早期発見や血圧管理のために、家庭内において使用可能な血圧計が広く普及している。通常、血圧値の測定に際しては、生体内部に位置する動脈を圧迫するための流体袋を内包するカフを生体の体表面に巻き付け、巻き付けた流体袋を膨張・収縮させることによって動脈内に生じる動脈圧脈波の検出を行い、これによって血圧値の測定が行なわれる。
【０００３】
ここで、カフとは、内腔を有する帯状の構造物であって生体の一部に巻き付けが可能なものを意味し、気体や液体等の流体を内腔に注入することによって上下肢の動脈圧測定に利用されるもののことを指す。したがって、カフは、流体袋とこの流体袋を生体に巻き付けるための巻付手段とを含めた概念を示す言葉であり、腕帯あるいはマンシェットと呼ばれることもある。
【０００４】
被測定部位として上腕が採用されるいわゆる上腕式の血圧計においては、流体袋としての空気袋を膨縮させるための膨縮手段であるポンプや弁等が配設された本体ケーシングと、上記の空気袋が内包されたカフとを、可撓性の接続管であるエア管にて接続する構成が採用される。したがって、上腕式の血圧計においては、非使用時におけるこれらカフ、エア管および本体ケーシングの収容性に優れていることが好ましく、コンパクトに収容ができ、かつ収容作業が容易であることが要求されている。
【０００５】
収容性の向上が図られた上腕式の血圧計としては、特開平３−９７４４３号公報（特許文献１）に開示のものや、実開昭６４−１９４０３号公報（特許文献２）に開示のもの、実開昭６２−１３０６０６号公報（特許文献３）に開示のもの等が知られている。
【０００６】
上記特許文献１には、コロトコフ法を採用した血圧計において、カフ内に配設された検出手段であるマイクと、本体ケーシング内部に配設された信号処理部とを信号線にて接続し、空気袋と膨縮手段とを接続する接続管であるエア管と上記の信号線とを一体的に並設した複合管として形成し、この複合管を伸縮性および復元性を有するように螺旋状に熱加工した構成が開示されている。そして、血圧計の非使用時においては、カフが本体ケーシングに設けられたカフ収容部に収容され、エア管を含む複合管は、カフ収容部に並設された複合管収容部に収容される。
【０００７】
また、上記特許文献２には、本体ケーシングが収容される本体ケーシング収容部と、カフが収容されるカフ収容部とが別々に設けられた収容箱を用意し、これら収容部同士を蝶番を介して接続した血圧計が開示されている。そして、血圧計の非使用時においては、本体ケーシング収容部に本体ケーシングが収容され、カフ収容部にカフおよびエア管が収容される。
【０００８】
また、上記特許文献３には、カフを収容するためのカフ収容ケースを本体ケーシングに並設し、カフ収容ケースのカフ出し入れ用開口部が本体ケーシングによって覆われた状態と覆われない状態との２状態をとるように本体ケーシングおよびカフ収容ケースが構成された血圧計が開示されている。そして、血圧計の非使用時には、カフ収容ケースにカフおよびエア管が収容されるとともに、カフ収容ケースのカフ出し入れ用開口部が本体ケーシングによって覆われた状態となるように、本体ケーシングにカフ収容ケースが取り付けられる。
【０００９】
上記特許文献１ないし３に開示の血圧計以外にも、収容性の面で様々な工夫が施された血圧計が知られている。しかしながら、その多くは、本体ケーシングにカフを収容するためのカフ収容部が設けられたものであり、エア管については、カフ収容部に並設して設けられたエア管収容部に束ねて収容されるか、あるいは筒状のカフの中空部に束ねた状態で差し込まれて収容されることが意図されているにとどまるものである。
【特許文献１】特開平３−９７４４３号公報
【特許文献２】実開昭６４−１９４０３号公報
【特許文献３】実開昭６２−１３０６０６号公報
【発明の開示】
【発明が解決しようとする課題】
【００１０】
上述のように、従来の血圧計においては、上記特許文献２および３に開示されるようにカフの収容性については種々の考慮がなされているが、エア管の収容性についてはほとんど考慮がなされていない。したがって、エア管の収容作業についてはその一切が使用者の手に委ねられることになり、これを無造作に取り扱った場合には、エア管が折り曲げられたり、捩じ曲げられたり、あるいは本体ケーシングと開閉カバーとの間に挟まれたりすることになってしまう。このような場合には、最悪の場合、エア管の破損につながることにもなる。
【００１１】
一方、上記特許文献１に開示の構成を採用した場合には、エア管を含む複合管が螺旋状に復元力を有するように熱加工されているため、エア管を含む複合管の折れ曲がりや捩れは生じ難いことになる。しかしながら、やはりその取扱いが無造作な場合には、本体ケーシングと開閉カバーとによって複合管が挟み込まれてしまうこともあり、破損につながるおそれもある。また、上記特許文献１に開示の如くの構成を採用した場合には、螺旋状に熱加工された複合管の復元力により、カフの装着時において常に上腕にテンションがかかることとなるため、測定精度に悪影響を及ぼしたり、使用者に負担がかかったりする懸念もある。
【００１２】
したがって、本発明は、上述の問題点を解決すべくなされたものであり、カフと本体ケーシングとを接続する接続管の収容性、特に接続管の取扱い性に優れた血圧計測装置を提供することを目的とする。
【課題を解決するための手段】
【００１３】
本発明に基づく血圧計測装置は、膨縮可能な流体袋を有するカフと、上記流体袋を膨縮させる膨縮手段が内部に配設された本体ケーシングと、上記流体袋と上記膨縮手段とを接続する可撓性の接続管と、上記本体ケーシングから引き出されている上記接続管を上記本体ケーシングの内部に設けられた接続管収容部に引き込み可能な引き込み手段とを備える。上記本体ケーシングは、上記接続管を引き出すための開口部を有しており、上記接続管は、一端が上記流体袋に接続されたカフ側管部と、一端が上記膨縮手段に接続された本体ケーシング側管部と、上記カフ側管部の他端と上記本体ケーシング側管部の他端とを接続するコネクタとを含んでいる。上記コネクタは、上記開口部の周縁に当接することによって上記接続管がそれ以上上記本体ケーシングの内部に引き込まれないようにするためのストッパ部を構成しており、これにより上記引き込み手段によって上記接続管が可能な限り上記接続管収容部に収容された状態において、上記カフ側管部が上記本体ケーシングの外部に位置するように構成されている。上記カフ側管部の他端は、上記コネクタに挿抜可能に接続されており、上記本体ケーシング側管部の他端は、上記コネクタに強固に固定されている。
【００１４】
このように構成することにより、接続管が引き込み手段によって本体ケーシングの内部に設けられた接続管収容部に容易にかつ確実に収容されることとなるため、接続管の収容性、特に接続管の取扱い性に優れた血圧計測装置とすることができる。また、接続管が引き込み手段によって本体ケーシングの内部に収容されるため、接続管が折り曲げられたり、捩じ曲げられたり等することによって接続管が破損することが防止できるようになる。また、このように構成することにより、ストッパ部としてのコネクタが開口部の周縁に当接することによってカフ側管部が本体ケーシングの外部に必ず位置することとなるため、本体ケーシングの外部に位置している接続管を摘んで接続管を本体ケーシングから引き出すことが簡便に行えるようになり、利便性が確保され、またカフ収容時のカフの向きや収容位置の自由度が上がることになる。また、このように構成することにより、カフ側管部だけを必要に応じて交換することができるようになるとともに、カフ側管部だけを交換する際等に、誤って接続管がすべて本体ケーシングの内部に引き込まれてしまって接続管を本体ケーシングから引き出せなくなるという不具合を防止することができる。
上記本発明に基づく血圧計測装置にあっては、上記コネクタが、上記カフ側管部の他端が接続される第１接続口および上記本体ケーシング側管部の他端が接続される第２接続口が設けられた第１コネクタ部材と、上記第１コネクタ部材の上記第２接続口に取り付けられる第２コネクタ部材とを含んでいることが好ましく、その場合に、上記第１接続口の周囲に上記カフ側管部の抜け防止のための第１突起部が設けられ、上記第２接続口の周囲に上記本体ケーシング側管部の抜け防止のための第２突起部が設けられ、上記第２コネクタ部材の内側に上記本体ケーシング側管部の抜け防止のための第３突起部が設けられていることが好ましい。その場合には、上記カフ側管部が、上記第１接続口に接続された状態において、上記第１突起部のみによって固定されることになり、上記本体ケーシング側管部が、上記第２接続口に接続された状態において、上記第２突起部と上記第３突起部とによって挟み込まれて固定されることになる。
【００１５】
上記本発明に基づく血圧計測装置にあっては、上記引き込み手段が、上記接続管収容部に引き込まれた上記接続管が巻き付けられる巻き付け部材を有していることが好ましい。
【００１６】
このように構成することにより、接続管収容部内において接続管が巻き付け部材に巻き付けられた状態でコンパクトに収容されることとなるため、引き込み手段が大型化することを防止でき、また比較的簡素な構成で引き込み手段を構成することが可能になる。また、巻き付け部材を用いて接続管を収容することにより、引き出し／引き込み動作を容易に実現することも可能になる。
【００１７】
上記本発明に基づく血圧計測装置にあっては、上記引き込み手段が上記巻き付け部材に連結された弾性部材を有していることが好ましく、その場合に、上記弾性部材の弾性力によって上記巻き付け部材が回転駆動されることにより、上記接続管が上記接続管収容部に引き込まれるように構成されていることが好ましい。
【００１８】
このように構成することにより、弾性部材の弾性力を利用して接続管の引き込みが行えるようになるため、接続管の取扱い性に優れた血圧計測装置とすることができる。
【００１９】
上記本発明に基づく血圧計測装置にあっては、上記弾性部材の弾性力に抗して上記接続管を固定する接続管固定手段がさらに設けられていることが好ましい。
【００２０】
このように構成することにより、本体ケーシングから引き出された接続管を任意の長さとした状態で接続管固定手段によって固定することが可能になるため、利便性に優れた血圧測定装置とすることができる。また、接続管を引き出して被測定部位に装着した状態においても、弾性部材の弾性力によって被測定部位にテンションがかかることが防止されるため、測定精度を高く維持することが可能となり、また使用者に負担をかける心配もなくなる。
【００２１】
上記本発明に基づく血圧計測装置にあっては、上記引き込み手段が上記巻き付け部材に連結された駆動手段を有していることが好ましく、その場合に、上記駆動手段の駆動力によって上記巻き付け部材が回転駆動されることにより、上記接続管が上記接続管収容部に引き込まれるように構成されていることが好ましい。
【００２２】
このように構成することにより、モータ等の駆動手段の駆動力を利用して接続管の引き込みが行えるようになるため、接続管の取扱い性に優れた血圧計測装置とすることができる。
【００２３】
上記本発明に基づく血圧計測装置にあっては、上記駆動手段および上記巻き付け部材が、上記接続管収容部に収容された上記接続管を上記本体ケーシングの外部に送り出す送出手段としての機能をも併せ備えていることが好ましい。
【００２４】
このように構成することにより、接続管の引き込みのみならず引き出しについても駆動手段で行えるようになるため、接続管の取扱い性にさらに優れた血圧計測装置とすることができる。
【００２５】
上記本発明に基づく血圧計測装置にあっては、上記引き込み手段が上記巻き付け部材に連結された回転操作部を有していることが好ましく、その場合に、上記回転操作部の回転動作に伴って上記巻き付け部材が回転駆動されることにより、上記接続管が上記接続管収容部に引き込まれるように構成されていることが好ましい。ここで、回転操作部とは、使用者が操作することによって巻き付け部材が回転駆動されるように構成された操作部のことを意味し、たとえばハンドル式の操作部やジョグダイヤル式の操作部あるいは単なる回転板からなる操作部等を含むものである。
【００２６】
このように構成することにより、回転操作部を回転させることによって容易に接続管を引き込むことができるようになるため、接続管の取扱い性に優れた血圧計測装置とすることができる。
【００２７】
上記本発明に基づく血圧計測装置にあっては、上記回転操作部および上記巻き付け部材が、上記接続管収容部に収容された上記接続管を上記本体ケーシングの外部に送り出す送出手段としての機能をも併せ備えていることが好ましい。
【００２８】
このように構成することにより、接続管の引き込みのみならず引き出しについても回転操作部を回転させることで行えるようになるため、接続管の取扱い性にさらに優れた血圧計測装置とすることができる。
【００２９】
上記本発明に基づく血圧計測装置にあっては、上記本体ケーシングが、上記カフを収容するためのカフ収容部と、上記カフ収容部を覆うように取り付けられた回動式の開閉カバーとを有していることが好ましく、また、上記引き込み手段が、上記開閉カバーの回動動作に伴って生じる回転力を上記巻き付け部材に伝達する回転力伝達機構を有していることが好ましく、その場合に、上記開閉カバーの回動動作に伴って上記巻き付け部材が回転駆動されることにより、上記接続管が上記接続管収容部に引き込まれるように構成されていることが好ましい。
【００３０】
このように構成することにより、開閉カバーを閉じる動作に連動させて接続管を引き込むことができるようになるため、接続管の取扱い性に優れた血圧計測装置とすることができる。
【００３１】
上記本発明に基づく血圧計測装置にあっては、上記開閉カバー、上記回転力伝達機構および上記巻き付け部材が、上記接続管収容部に収容された上記接続管を上記本体ケーシングの外部に送り出す送出手段としての機能をも併せ備えていることが好ましい。
【００３２】
このように構成することにより、接続管の引き込みのみならず引き出しについても開閉カバーの回動動作に連動させて行えるようになるため、接続管の取扱い性にさらに優れた血圧計測装置とすることができる。
【００３３】
上記本発明に基づく血圧計測装置にあっては、上記引き込み手段が、上記接続管収容部に引き込まれた上記接続管を蛇行状に収容する収容手段を有していることが好ましい。
【００３４】
このように構成することにより、接続管収容部内において接続管を蛇行状にコンパクトに収容することができるようになるため、引き込み手段が大型化することが防止でき、また比較的簡素な構成で引き込み手段を構成することが可能になる。
【００３５】
上記本発明に基づく血圧計測装置にあっては、上記引き込み手段が上記収容手段に連結された弾性部材を有していることが好ましく、その場合に、上記弾性部材の弾性力によって上記収容手段が駆動されることにより、上記接続管が上記接続管収容部に引き込まれるように構成されていることが好ましい。
【００３６】
このように構成することにより、弾性部材の弾性力を利用して接続管の引き込みが行えるようになるため、接続管の取扱い性に優れた血圧計測装置とすることができる。
【００３７】
上記本発明に基づく血圧計測装置にあっては、上記弾性部材の弾性力に抗して上記接続管を固定する接続管固定手段がさらに設けられていることが好ましい。
【００３８】
このように構成することにより、本体ケーシングから引き出された接続管を任意の長さとした状態で接続管固定手段によって固定することが可能になるため、利便性に優れた血圧測定装置とすることができる。また、接続管を引き出して被測定部位に装着した状態においても、弾性部材の弾性力によって被測定部位にテンションがかかることが防止されるため、測定精度を高く維持することが可能となり、また使用者に負担をかける心配もなくなる。
【００３９】
上記本発明に基づく血圧計測装置にあっては、上記引き込み手段が上記収容手段に連結された駆動手段を有していることが好ましく、その場合に、上記駆動手段の駆動力によって上記収容手段が駆動されることにより、上記接続管が上記接続管収容部に引き込まれるように構成されていることが好ましい。
【００４０】
このように構成することにより、モータ等の駆動手段の駆動力を利用して接続管の引き込みが行えるようになるため、接続管の取扱い性に優れた血圧計測装置とすることができる。
【００４１】
上記本発明に基づく血圧計測装置にあっては、上記本体ケーシングが上記接続管を案内して所定の方向に導く案内手段を有していることが好ましく、その場合に、上記案内手段、上記駆動手段および上記収容手段が、上記接続管収容部に収容された上記接続管を上記本体ケーシングの外部に送り出す送出手段として機能することが好ましい。
【００４２】
このように構成することにより、接続管の引き込みのみならず引き出しについても駆動手段で行えるようになるため、接続管の取扱い性にさらに優れた血圧計測装置とすることができる。
【００４３】
上記本発明に基づく血圧計測装置にあっては、上記本体ケーシングが、上記接続管が引っ掛けられた引っ掛け部と、上記引っ掛け部に連結されたスライドレバーとを有していることが好ましく、その場合に、上記スライドレバーのスライド動作に伴って上記引っ掛け部が移動することにより、上記接続管が上記接続管収容部に引き込まれるように構成されていることが好ましい。
【００４４】
このように構成することにより、スライドレバーをスライド移動させることによって容易に接続管を引き込むことができるようになるため、接続管の取扱い性に優れた血圧計測装置とすることができる。
【００４５】
上記本発明に基づく血圧計測装置にあっては、上記本体ケーシングが上記接続管を案内して所定の方向に導く案内手段を有していることが好ましく、その場合に、上記案内手段、上記引っ掛け部、上記スライドレバーおよび上記収容手段が、上記接続管収容部に収容された上記接続管を上記本体ケーシングの外部に送り出す送出手段として機能することが好ましい。
【００４６】
このように構成することにより、接続管の引き込みのみならず引き出しについてもスライドレバーをスライド移動させることで行えるようになるため、接続管の取扱い性にさらに優れた血圧計測装置とすることができる。
【００４７】
上記本発明に基づく血圧計測装置にあっては、上記本体ケーシングに設けられた上記接続管を引き出すための開口部が、上記本体ケーシングの前方側に向かって開口していることが好ましい。
【００４８】
通常、血圧計の使用時において使用者は本体ケーシングの前方側に位置することになるため、このように接続管の引き出し方向を本体ケーシングの前方側とすることにより、操作性に優れた血圧計とすることができる。
【００４９】
上記本発明に基づく血圧計測装置にあっては、上記カフが被験者の左腕の上腕部に装着されるものである場合に、上記開口部が、上記本体ケーシングを前方から見て上記本体ケーシングの中央部または左側に配置されていることが好ましい。また、上記本発明の第１の局面に基づく血圧計測装置にあっては、上記カフが被験者の右腕の上腕部に装着されるものである場合に、上記開口部が、上記本体ケーシングを前方から見て上記本体ケーシングの中央部または右側に配置されていることが好ましい。
【００５０】
このように構成することにより、カフの装着時等において接続管が邪魔になることがなく使用者の利便性に資することになる。
【００５１】
上記本発明に基づく血圧計測装置にあっては、上記本体ケーシングが上記カフを収容するためのカフ収容部を前部に有していることが好ましく、その場合に、上記開口部が上記カフ収容部に設けられていることが好ましい。
【００５２】
このように構成することにより、接続管を引き出すための開口部を本体ケーシングの前部にカフ収容部と一緒に設けることが可能になり、カフの取り扱いのみならず接続管の取り扱いも容易となる。
【発明の効果】
【００６７】
本発明によれば、カフと本体ケーシングとを接続する接続管の収容性、特に接続管の取扱い性に優れた血圧計測装置とすることができる。
【発明を実施するための最良の形態】
【００６８】
以下、本発明の実施の形態について、図を参照して詳細に説明する。なお、以下に示す実施の形態においては、左腕の上腕部が被測定部位として採用されることが意図されたオシロメトリック方式の上腕式血圧計を例示して説明を行なう。
【００６９】
（実施の形態１）
図１ないし図３は、本発明の実施の形態１における血圧計の外観を示す斜視図である。図１は、本実施の形態における血圧計において開閉カバーを閉じた状態を示す斜視図であり、図２は、開閉カバーを開いた状態を示す斜視図である。また、図３は、開閉カバーを開いた状態においてカフを本体ケーシングから取り出した状態を示す斜視図である。図４は、本実施の形態における血圧計の底面図である。まず、これら図１ないし図４を参照して、本実施の形態における血圧計１００の外観構造について説明する。
【００７０】
図１ないし図３に示すように、本実施の形態における血圧計１００は、本体ケーシング１１０とカフ１７０とを主に備える。本体ケーシング１１０は、閉状態において本体ケーシング１１０の上面を覆うように取り付けられた開閉カバー１１１を有している。開閉カバー１１１は、本体ケーシング１１０の後部に設けられたヒンジ１１２によって本体ケーシング１１０に回転自在に連結されており、図２中において矢印Ａで示す方向に回動する。閉状態にある開閉カバー１１１を開状態に移行させるためには、開閉カバー１１１の前部に設けられた開閉ボタン１１３を操作する。
【００７１】
本体ケーシング１１０の上面の所定位置には、表示部１１４および操作部１１５が設けられている。表示部１１４は、血圧値の測定結果や脈拍数の測定結果等を数値やグラフなどを用いて視認可能に表示する。この表示部１１４としては、たとえば液晶パネルが利用される。操作部１１５には、たとえば電源ボタンや測定／停止ボタン等が配設される。
【００７２】
本体ケーシング１１０の前部には、カフ収容部１１８が設けられる。カフ収容部１１８は、本体ケーシング１１０の上面に凹部を設けることによって形成され、開閉カバー１１１が閉状態にある場合には開閉カバー１１１によってカフ収容部１１８が覆われることになる。図示する血圧計１００にあっては、カフ収容部１１８に並設してＡＣアダプタ１９１の収容部が設けられている。ＡＣアダプタ１９１の収容部には、血圧計１００の非使用時あるいはＡＣ電源を利用せずにＤＣ電源を利用して血圧値の測定を行なう場合等において、ボビン１９０に巻き付けられたＡＣアダプタ１９１がボビン１９０ごと収容される。
【００７３】
図３に示すように、カフ１７０と本体ケーシング１１０とは、接続管としてのエア管１６０によって接続されている。エア管１６０は、可撓性のチューブからなり、本体ケーシング１１０に一端が接続された本体ケーシング側管部としての本体ケーシング側エア管１６１と、カフ１７０に一端が接続されたカフ側管部としてのカフ側エア管１６２と、これら本体ケーシング側エア管１６１の他端とカフ側エア管１６２の他端とを接続するコネクタ１６３とからなる。エア管１６０のカフ１７０側の端部は、カフ１７０に内包された流体袋としての空気袋１７１（図５参照）に接続されており、エア管１６０の本体ケーシング１１０側の端部は、本体ケーシング１１０の内部に配設された膨縮手段１３３（図５参照）に接続されている。また、エア管１６０は、カフ収容部１１８の壁面に設けられた開口部１２０から本体ケーシング１１０の外部へと引き出される。なお、カフ収容部１１８には、上述の開口部１２０に隣接して後述するエア管固定手段のロック解除ボタン１４０が配設されている。
【００７４】
図４に示すように、本体ケーシング１１０の底面の所定位置には、下方に向かって突出する脚部１１６が複数箇所設けられている。この脚部１１６は、血圧計１００の本体ケーシング１１０をテーブル等の載置面に安定的に載置するための部位であり、その先端部分にはゴム部材１１６ａが取り付けられている。このゴム部材１１６ａは、後述するエア管１６０の引き出し／引き込み動作時において、本体ケーシング１１０が載置面上を移動することを摩擦によって防止するためのものである。
【００７５】
図５は、本実施の形態における血圧計の構成を示すブロック図である。次に、この図５を参照して、本実施の形態における血圧計１００の主要な構成について説明する。
【００７６】
図５に示すように、本体ケーシング１１０の内部には、空気袋１７１にエア管１６０を介して空気を供給または排出するための血圧測定用エア系１３１が設けられている。血圧測定用エア系１３１には、空気袋１７１内の圧力を検出する圧力検出手段である圧力センサ１３２と、空気袋１７１を膨縮させるための膨縮手段１３３であるポンプ１３４および弁１３５が含まれる。また、本体ケーシング１１０の内部には、血圧測定用エア系１３１に関連して発振回路１２５、ポンプ駆動回路１２６および弁駆動回路１２７が設けられる。
【００７７】
さらに、本体ケーシング１１０には、各部を集中的に制御および監視するためのＣＰＵ（Central Processing Unit）１２２と、ＣＰＵ１２２に所定の動作をさせるプログラムや測定された血圧値などの各種情報を記憶するためのメモリ部１２３と、血圧測定結果を含む各種情報を表示するための表示部１１４と、測定のための各種指示を入力するために操作される操作部１１５と、ＣＰＵ１２２および各構成ブロックに電力を供給するための電源部１２４とが設置される。ＣＰＵ１２２は、血圧値を算出するための血圧値算出手段としても機能する。
【００７８】
圧力センサ１３２は、空気袋１７１内の圧力（以下、「カフ圧」という）を検出し、検出した圧力に応じた信号を発振回路１２５に出力する。ポンプ１３４は、空気袋１７１に空気を供給する。弁１３５は、空気袋１７１内の圧力を維持したり、空気袋１７１内の空気を排出したりする際に開閉する。発振回路１２５は、圧力センサ１３２の出力値に応じた発振周波数の信号をＣＰＵ１２２に出力する。ポンプ駆動回路１２６は、ポンプ１３４の駆動をＣＰＵ１２２から与えられる制御信号に基づいて制御する。弁駆動回路１２７は、弁１３５の開閉制御をＣＰＵ１２２から与えられる制御信号に基づいて行なう。
【００７９】
図６は、本実施の形態における血圧計の血圧測定処理の流れを示すフローチャートである。次に、この図６を参照して、本実施の形態における血圧計１００における血圧測定処理の流れについて説明する。なお、このフローチャートに従うプログラムは、メモリ部１２３に予め記憶されており、ＣＰＵ１２２がメモリ部１２３からこのプログラムを読出して実行することにより、血圧測定処理が実施される。
【００８０】
図６に示すように、使用者が血圧計１００の操作部１１５の操作ボタンを操作して電源ＯＮすると血圧計１００の初期化がなされる（ステップＳ１）。次に、測定可能状態になると、ＣＰＵ１２２はポンプ１３４を駆動開始し、空気袋１７１のカフ圧を徐々に上昇させる（ステップＳ２）。徐々に加圧する過程において、血圧測定のための所定レベルにまでカフ圧が達すると、ＣＰＵ１２２はポンプ１３４を停止し、次に閉じていた弁１３５を徐々に開いて、空気袋１７１の空気を徐々に排気し、カフ圧を徐々に減圧させる（ステップＳ３）。本実施の形態における血圧計１００においては、カフ圧の微速減圧過程において血圧値が測定される。
【００８１】
次に、ＣＰＵ１２２は公知の手順で血圧値（最高血圧値、最低血圧値）を算出する（ステップＳ４）。具体的には、カフ圧が徐々に減圧する過程において、ＣＰＵ１２２は発振回路１２５から得られる発振周波数に基づき脈波情報を抽出する。そして、抽出された脈波情報により血圧値を算出する。ステップＳ４において血圧値が算出されると、算出された血圧値を表示部１１４に表示する（ステップＳ５）。なお、以上において説明した測定方式は、空気袋の減圧時に脈波を検出するいわゆる減圧測定方式に基づいたものであるが、空気袋の加圧時に脈波を検出するいわゆる加圧測定方式を採用することも当然に可能である。
【００８２】
図７は、本実施の形態における血圧計の内部構造を示す模式断面図である。なお、図７においては、カフおよびカフ側エア管の図示は省略している。次に、この図７を参照して、本実施の形態における血圧計１００の内部構造について説明する。
【００８３】
図７に示すように、本実施の形態における血圧計１００にあっては、本体ケーシング１１０の内部に隔壁１１０ａが配置されている。隔壁１１０ａは、本体ケーシング１１０の内部の空間を上下に区画している。このうち上部の空間には、上述したＣＰＵ１２２やメモリ部１２３、発振回路１２５、ポンプ駆動回路１２６、弁駆動回路１２７等が設けられた回路基板１２１が配置されている。また、この上部の空間には、液晶表示からなる表示部１１４を支持するための表示部支持枠１１４ａ等も配置されている。
【００８４】
一方、下部の空間には、引き込み手段である引き込みユニット１５０や上述の血圧測定用エア系１３１が配置されている。引き込みユニット１５０は、接続管収容部であるエア管収容部１５５Ａ（図８および図９参照）を内部に有する円盤状の組立体からなり、その主面が本体ケーシング１１０の底面と平行となるように本体ケーシング１１０内において水平に設置される。なお、引き込みユニット１５０は、中継用エア管１３６にて血圧測定用エア系１３１に接続されており、これによりエア管１６０は、引き込みユニット１５０および中継用エア管１３６を介して膨縮手段１３３を含む血圧測定用エア系１３１に接続されることになる。
【００８５】
図８および図９は、本実施の形態における血圧計の引き込みユニットの構造およびエア管の引き出し／引き込み動作を説明するための図である。図８は、エア管が引き込みユニットに引き込まれた状態にある場合を示す図であり、図８（Ａ）は、引き込みユニットを水平面に沿って切断した場合の断面図であり、図８（Ｂ）は、引き込みユニットを図８（Ａ）中に示すＶＩＩＩＢ−ＶＩＩＩＢ線に沿って切断した場合の断面図である。また、図９は、エア管が引き込みユニットから引き出された状態にある場合を示す図であり、図９（Ａ）は、引き込みユニットを水平面に沿って切断した場合の断面図であり、図９（Ｂ）は、引き込みユニットを図９（Ａ）中に示すＩＸＢ−ＩＸＢ線に沿って切断した場合の断面図である。また、図１０は、本実施の形態における血圧計のエア管固定手段の構造およびエア管の引き出し／引き込み動作を説明するための図であり、図１０（Ａ）は、エア管が固定された状態にある場合を示す断面図であり、図１０（Ｂ）は、エア管の固定が解除された状態にある場合を示す断面図である。
【００８６】
まず、図８および図９を参照して、引き込みユニット１５０の構造について説明する。図８および図９に示すように、引き込みユニット１５０は、外殻を構成する下ケース１５１および上ケース１５２、巻き付け部材としてのボビン１５３、軸管１５４、および弾性部材としての渦巻きバネ１５６を組み立てることによって形成されている。
【００８７】
下ケース１５１は、底面が円板形状に形成された有底筒状の部材からなり、その外周部に本体ケーシング１１０に対して引き込みユニット１５０固定するための係止部１５１ａが設けられている。上ケース１５２は、底板が円板形状に形成された有底筒状の部材からなり、その中央部には、接続口１５２ａが設けられている。この接続口１５２ａは、引き込みユニット１５０が本体ケーシング１１０に組付けられた状態において、中継用エア管１３６が接続される部位である。下ケース１５１と上ケース１５２とは、それぞれの開口面が向き合うように取り付けられ、これにより内部に空間が形成される。
【００８８】
ボビン１５３は、下ケース１５１と上ケース１５２とによって形成された上記空間内に回転自在に配置されており、上記空間を上下に区画する。上ケース１５２とボビン１５３とによって区画される空間は、エア管１６０が収容されるエア管収容部１５５Ａとなる。下ケース１５１とボビン１５３とによって区画される空間は、渦巻きバネ１５６が収容される渦巻きバネ収容部１５５Ｂとなる。
【００８９】
軸管１５４は、ボビン１５３の中央部に固定されており、ボビン１５３と一体に回転する。軸管１５４の上部には、上述の上ケース１５２に設けられた接続口１５２ａに一端が連通する通路が設けられており、この通路の他端は、軸管１５４の周面から外方に向かって突出して形成された接続口１５４ａに連通している。この接続口１５４ａには、エア管１６０が接続される。なお、上ケース１５２と軸管１５４との間には、気密性を確保するためにＯリング等のシール部材１５８が介装されている。
【００９０】
軸管１５４の接続口１５４ａに一方の端部が取り付けられたエア管１６０は、ボビン１５３の周面に設けられた引き出し口１５３ａからボビン１５３の外側に向かって引き出されており、引き出された部分が上述のエア管収容部１５５Ａ内においてボビン１５３の周面に巻き付けられている。そして、エア管１６０の他方の端部は、下ケース１５１および上ケース１５２の外周部の所定位置に設けられたエア管引き出し口１５７から引き出しユニット１５０の外部へと引き出されている。
【００９１】
渦巻きバネ１５６は、上述の渦巻きバネ収容部１５５Ｂ内に収容されており、一端が軸管１５４の下部に固定されており、他端が下ケース１５１の所定位置に固定されている。
【００９２】
次に、図１０を参照して、本体ケーシング１１０から引き出されたエア管１６０を任意の長さに固定するための接続管固定手段であるエア管固定手段の構造について説明する。エア管固定手段は、上述の引き込みユニット１５０の前方に位置する部分の本体ケーシング１１０の壁に設けられる。図１０に示すように、エア管固定手段は、ロック解除ボタン１４０、ロック部材１４１およびバネ１４２によって形成される。
【００９３】
ロック解除ボタン１４０は、本体ケーシング１１０のカフ収容部１１８を規定する壁面に設けられている。ロック部材１４１は、略中央部が回転自在に支持されており、その一方端寄りの部分にエア管１６０を移動不能に固定するためのロック部１４１ａが設けられている。ロック部材１４１の他方端寄りの部分には、上述のロック解除ボタン１４０の後方端１４０ａが当接している。バネ１４２は、上記ロック部材１４１のロック部１４１ａが設けられた部分と、本体ケーシング１１０の内部に配置された内側枠体１４４との間に配設されている。
【００９４】
エア管１６０は、図１０（Ａ）に示すように、上述のバネ１４２の付勢力によって移動不能に固定される。具体的には、ロック部材１４１のロック部１４１ａがバネ１４２の付勢力によってエア管１６０に押し付けられることにより、摩擦によってエア管１６０が任意の位置で固定される。エア管１６０の固定を解除する場合には、図１０（Ｂ）に示すように、ロック解除ボタン１４０を後方に向かって（図中矢印Ｄ方向に向かって）押下することにより、バネ１４２の付勢力に抗してロック部材１４１を図中矢印Ｅ方向に回転させ、ロック部１４１ａのエア管１６０に対する当接を解除することにより行なう。
【００９５】
次に、エア管１６０の引き出し／引き込み動作について説明する。図８に示すように、エア管１６０がエア管収容部１５５Ａに収容された状態においては、エア管１６０は、ボビン１５３に巻き付けられた状態でエア管収容部１５５Ａに収容される。この状態において、渦巻きバネ１５６には外力が加わっておらず、渦巻きバネ１５６はほぼ自由状態にある。そして、エア管１６０を引き出す際には、使用者が本体ケーシング１１０の外部に引き出されている部分のエア管１６０を持ってエア管１６０を引っ張ることにより、エア管１６０が図中矢印Ｂ１方向に引っ張られ、これによりボビン１５３が図中矢印Ｃ１方向に向かって回転し、エア管１６０がエア管引き出し口１５７から引き込みユニット１５０の外部へ送り出される。なお、ロック部材１４１のロック部１４１ａの形状を図１０（Ａ）に示す如くの形状とすることにより、特にロック解除ボタン１４０を操作せずともエア管１６０の引き出しが可能となる。
【００９６】
ボビン１５３の回転に伴い、軸管１５４も図８（Ａ）中の矢印Ｃ１方向に向かって回転する。これにより、軸管１５４にその一端が固定された渦巻きバネ１５６にも回転方向に力が加わり、この力によって渦巻きバネ１５６が弾性変形することになる。この弾性変形に伴い、渦巻きバネ１５６には復元力が生じることになるが、上述のエア管１６０の固定手段の存在により、エア管１６０は本体ケーシング１１０から所望の量だけ引き出された状態で固定されることになる。
【００９７】
図９に示すように、エア管１６０が可能な限りエア管収容部１５５Ａから引き出された状態においては、エア管１６０はボビン１５３に巻き付けられておらず、渦巻きバネ１５６には上述の復元力が生じている。この状態において、使用者が、図１０（Ｂ）に示すようにロック解除ボタン１４０を押下して固定手段によるエア管１６０の固定を解除することにより、渦巻きバネ１５６が有している復元力によって軸管１５４が図中矢印Ｃ２方向に向かって回転し、これに伴ってボビン１５３が図中矢印Ｃ２方向に回転することになる。ボビン１５３が回転することにより、エア管１６０は、エア管引き出し口１５７を介して図中矢印Ｂ２方向に向かって引き込みユニット１５０内へと引き込まれ、そしてボビン１５３によって巻き取られる。
【００９８】
図１１は、本実施の形態における血圧計において、本体ケーシングに設けられたエア管引き出しのための開口部の形成位置を説明するための血圧計の上面図である。図１１に示すように、本実施の形態における血圧計１００においては、カフ収容部１１８が本体ケーシング１１０の前部に設けられ、このカフ収容部１１８にエア管１６０を本体ケーシング１１０から引き出すための開口部１２０が設けられている。このように構成することにより、エア管１６０を引き出すための開口部１２０を本体ケーシング１１０の前部に設けることが可能になり、エア管１６０の取り扱いが容易となる。
【００９９】
本実施の形態における血圧計１００にあっては、上記開口部１２０がカフ収容部１１８を規定する壁面の左側部分に設けられている。開口部１２０は、本体ケーシング１１０の前方側に向かって開口しており、エア管１６０は、本体ケーシング１１０の前方に向かって引き出されている。本実施の形態における血圧計１００は、カフが左腕の上腕部に装着されることが意図されているものであり、上述のように開口部１２０を本体ケーシング１１０の左側に設けることにより、エア管１６０が邪魔になることがなく、カフの装着時等における使用者の利便性に資することになる。また、カフが左腕の上腕部に装着された場合、エア管の引き出し量が少なくて済み、その分エア管を短い長さで構成することができ、引き込みユニット１５０を小型化できる。なお、右腕の上腕部にカフが装着されることが意図された血圧計とする場合には、反対に本体ケーシングの右側に開口部を設けることが好ましく、左右両方の腕の上腕部に装着することを意図した血圧計とする場合には、開口部を本体ケーシングの中央部に設けることとしてもよい。
【０１００】
また、エア管１６０の引き出し方向としては、上述のように本体ケーシング１１０の前方側とすることが好ましい。より具体的には、図１１に示すように、本体ケーシング１１０を上方から見た場合に、図中矢印θＬおよびθＲで示される角度範囲内に向かってエア管１６０が引き出されるように構成することが好ましい。通常、血圧計１００の使用時において使用者は本体ケーシング１１０の前方側に位置することになるため、エア管１６０の引き出し方向を上述の如くとすることにより、操作性に優れた血圧計とすることができる。
【０１０１】
さらに、図１１に示すように、エア管１６０が可能な限り本体ケーシング１１０の内部に引き込まれた状態において、少なくともエア管１６０の一部が本体ケーシングの外部に位置するように構成されていることが好ましい。本実施の形態における血圧計１００にあっては、エア管１６０が可能な限り本体ケーシング１１０の内部に引き込まれた状態において、エア管１６０のコネクタ１６３が本体ケーシング１１０の外部に位置した状態となるように構成されている。具体的には、コネクタ１６３の外形を開口部１２０よりも大きく形成し、このコネクタ１６３が開口部１２０の周縁に当接することによってそれ以上本体ケーシング１１０の内部に引き込まれないようにしている。すなわち、コネクタ１６３をストッパ部として構成している。このように構成することにより、引き出された部分のエア管１６０を摘んで本体ケーシング１１０から引き出すことが簡便に行えるようになり、利便性が確保され、またカフ収容時のカフの向きや収容位置の自由度が上がることになる。
【０１０２】
図１２は、本実施の形態における血圧計のエア管の接続構造を説明するための図である。本実施の形態における血圧計１００においては、カフを必要に応じて交換できるようにするために、エア管１６０が本体ケーシング側エア管１６１とカフ側エア管１６２とに分割されており、これらがコネクタ１６３によって接続されている。コネクタ１６３は、第１コネクタ部材１６３Ａと第２コネクタ部材１６３Ｂの２つの部材によって構成されている。
【０１０３】
第１コネクタ部材１６３Ａの両端には、エア管１６１，１６２がそれぞれ接続される接続口が設けられており、接続口の周囲には、エア管１６１，１６２の抜け防止のための突起部１６３ａがそれぞれ設けられている。カフ側エア管１６２は、上述のようにカフの交換時において比較的容易に挿抜できるように、この突起部１６３ａのみによってコネクタ１６３に接続される。一方、本体ケーシング側エア管１６１は、コネクタ１６３から取り外す必要性に乏しいため、第２コネクタ部材１６３Ｂによって第１コネクタ部材１６３Ａにより強固に固定される。具体的には、第２コネクタ部材１６３Ｂの内側には、抜け防止のための突起部１６３ｂが設けられており、この突起部１６３ｂと上述の第１コネクタ部材１６３Ａに設けられた突起部１６３ａとによって本体ケーシング側エア管１６１の先端部近傍が挟み込まれることにより、本体ケーシング側エア管１６１からのコネクタ１６３の脱落が防止されている。
【０１０４】
エア管１６１、１６２をコネクタ１６３を用いて接続する際には、図１２（Ａ）に示すように、まず本体ケーシング側エア管１６１に第２コネクタ部材１６３Ｂを挿し込み、第１コネクタ部材１６３Ａの接続口に本体ケーシング側エア管１６１の先端およびカフ側エア管１６２の先端をそれぞれ挿し込む。つづいて、図１２（Ｂ）に示すように、本体ケーシング側エア管１６１に予め挿し込んでおいた第２コネクタ部材１６３Ｂをスライド移動させ、第１コネクタ部材１６３Ａに固定する。このとき、第１コネクタ部材１６３Ａに設けられた突起部１６３ａを第２コネクタ部材１６３Ｂに設けられた突起部１６３ｂが乗り越えるようにする。以上により、図１２（Ｃ）に示す如くの接続構造を得ることができる。
【０１０５】
以上において説明したように、本実施の形態における血圧計１００にあっては、引き込みユニット１５０によってエア管１６０が引き込みユニット１５０の内部に設けられたエア管収容部１５５Ａに容易にかつ確実に収容されることとなるため、エア管１６０の収容性、特にエア管１６０の取扱い性に優れたものとなる。また、エア管１６０が引き込みユニット１５０によって本体ケーシング１１０の内部に収容されるため、エア管１６０が折り曲げられたり、捩じ曲げられたり等することによって破損することも防止可能となる。
【０１０６】
さらには、エア管収容部１５５Ａ内においてエア管１６０がボビン１５３に巻き付けられた状態でコンパクトに収容されることとなるため、引き込みユニット１５０が大型化することが防止でき、また比較的簡素な構成で引き込みユニット１５０を構成することが可能になる。また、ボビン１５３を用いてエア管１６０を収容することとなるため、引き出し／引き込み動作も容易に実現することが可能である。
【０１０７】
さらには、渦巻きバネ１５６の弾性力を利用してエア管１６０の引き込みが行えるようになるため、エア管１６０の取扱い性に優れた血圧計とすることができる。また、エア管固定手段によってエア管１６０が任意の長さに本体ケーシング１１０から引き出された状態で固定することができるため、利便性に優れた血圧測定装置とすることができる。また、エア管１６０を引き出して左腕の上腕部に装着した状態においても、エア管固定手段によって渦巻きバネ１５６の復元力が上腕部にかかることも防止されるため、測定精度を高く維持することが可能となり、また使用者に負担をかける心配もない。
【０１０８】
（実施の形態２）
図１３および図１４は、本発明の実施の形態２における血圧計の引き込みユニットの構造およびエア管の引き出し／引き込み動作を説明するための図であり、図１３は、エア管が引き込みユニットに引き込まれた状態にある場合を示す図であり、図１４は、エア管が引き込みユニットから引き出された状態にある場合を示す図である。なお、本実施の形態における血圧計は、上述の実施の形態１における血圧計と引き込みユニットの構成を除いて同一であり、引き込みユニットに関する部分以外の説明はここでは繰り返さない。
【０１０９】
まず、図１３および図１４を参照して、引き込みユニット２５０の構造について説明する。図１３および図１４に示すように、引き込みユニット２５０は、外殻を構成するケース２５１と、エア管１６０を蛇行状に収容する収容手段としてのガイド軸２５２ａ〜２５２ｄ、ガイドロール２５３ａ〜２５３ｄおよびコイルバネ２５４ａ〜２５４ｄとを組み立てることによって形成されている。
【０１１０】
ケース２５１は、矩形状の箱体からなり、内部の空間がエア管収容部２５５に相当する。ケース２５１の内部の空間であるエア管収容部２５５には、上述のガイド軸２５２ａ〜２５２ｄ、ガイドロール２５３ａ〜２５３ｄおよびコイルバネ２５４ａ〜２５４ｄが配設されている。ケース２５１の後部の所定位置には、エア管１６０がケース２５１の内部において接続される接続口２５１ａが設けられており、接続口２５１ａのケース２５１外部の部分には、中継用エア管１３６が接続される。また、ケース２５１の前部の所定位置には、エア管１６０が引き出されるエア管引き出し口２５１ｂが設けられている。
【０１１１】
ガイド軸２５２ａ〜２５２ｄ、ガイドロール２５３ａ〜２５３ｄおよびコイルバネ２５４ａ〜２５４ｄは、それぞれ１つずつ組み合わされることにより、４つの収容手段を構成している。そして、この４つの収容手段は、ケース２５１の内部において左右の壁面に交互に設置されている。個々の収容手段は、ケース２５１の壁面から立設されたガイド軸２５２ａ〜２５２ｄにガイドロール２５３ａ〜２５３ｄがそれぞれ移動自在に取り付けられ、このガイドロール２５３ａ〜２５３ｄをガイド軸２５２ａ〜２５２ｄの先端側に向かって付勢するように、ガイド軸２５２ａ〜２５２ｄにコイルバネ２５４ａ〜２５４ｄがそれぞれ外挿されることによって構成されている。そして、この収容手段の間を縫うようにエア管１６０が通されることにより、エア管１６０が蛇行状にケース２５１内部に収容されている。
【０１１２】
次に、エア管１６０の引き出し／引き込み動作について説明する。図１３に示すように、エア管１６０がエア管収容部２５５に収容された状態においては、エア管１６０は、上述の収容手段によって蛇行状に収容されている。この状態において、コイルバネ２５４ａ〜２５４ｄには外力が加わっておらず、コイルバネ２５４ａ〜２５４ｄはほぼ自由状態にある。そして、エア管１６０を引き出す際には、使用者が本体ケーシング１１０の外部に引き出されている部分のエア管１６０を持ってエア管１６０を引っ張ることにより、エア管１６０が図中矢印Ｂ１方向に引っ張られ、これによりガイドロール２５３ａ〜２５３ｄがガイド軸２５２ａ〜２５２ｄ上を図中矢印Ｆ１方向またはＦ２方向に押し下げられ、エア管１６０がエア管引き出し口２５１ｂから引き込みユニット２５０の外部へ送り出される。なお、ガイドロール２５３ａ〜２５３ｄの移動に伴い、コイルバネ２５４ａ〜２５４ｄは圧縮される。この弾性変形に伴い、コイルバネ２５４ａ〜２５４ｄには復元力が生じることになるが、別途、血圧計１００にエア管固定手段を本体ケーシング１１０に設けておくことにより、所望の量だけエア管が引き込みユニット２５０から引き出された状態で固定されることになる。
【０１１３】
図１４に示すように、エア管１６０が可能な限りエア管収容部２５５から引き出された状態においては、エア管１６０はほぼ直線状に延在しており、コイルバネ２５４ａ〜２５４ｄには上述の復元力が生じている。この状態において、使用者が血圧計１００に設けられたエア管固定手段によるエア管１６０の固定を解除することにより、コイルバネ２５４ａ〜２５４ｄが有している復元力によってガイドロール２５３ａ〜２５３ｄがガイド軸２５２ａ〜２５２ｄ上をその先端側に向かって図中矢印Ｆ１方向またはＦ２方向に移動し、エア管１６０が蛇行状に曲げられることになる。これにより、エア管１６０の大部分がエア管収容部２５５内に収容されることになる。
【０１１４】
以上において説明した如くの引き込みユニット２５０とした場合にも、エア管収容部２５５内においてエア管１６０を蛇行状にコンパクトに収容することができるようになるため、引き込みユニット２５０が大型化することが防止でき、また比較的簡素な構成で引き込みユニット２５０を構成することが可能になる。したがって、上述の実施の形態１と同様の効果を得ることが可能となり、エア管１６０の収容性に優れた血圧計とすることができる。
【０１１５】
なお、本実施の形態における血圧計１００においては、使用者がエア管１６０を持って引っ張ることによりエア管１６０が本体ケーシング１１０の外部に送り出されるように構成した場合を例示して説明を行なったが、これに代え、引き込みユニット２５０にモータ等の駆動手段を設け、このモータによってガイドロール２５３ａ〜２５３ｄが駆動されてガイド軸２５２ａ〜２５２ｄ上を移動するように構成してもよい。その場合には、モータの動作を制御する操作ボタンを本体ケーシング１１０に設ければよく、使用者は必要に応じて操作ボタンを操作すればよいことになる。さらにその場合、別途、引き込みユニット２５０かあるいは本体ケーシング１１０に、エア管１６０を案内して所定の方向へと導く案内手段を設ければ、上記モータの動作に連動してエア管１６０が誘導されて本体ケーシング１１０の外部に自動で送り出されるようにすることができる。案内手段としては、たとえば、エア管１６０が接触することによってエア管１６０を所定の方向に案内するガイド壁や、エア管１６０を両側から挟み込んで所定方向に案内する駆動ローラおよび従動ローラ対などが利用可能である。
【０１１６】
（実施の形態３）
図１５は、本発明の実施の形態３における血圧計の斜視図である。まず、図１５を参照して、本実施の形態における血圧計１００の外観構造について説明する。
【０１１７】
図１５に示すように、本実施の形態における血圧計１００は、上述の実施の形態１における血圧計と異なり、本体ケーシング１１０の後部上面を覆うように開閉カバー１１１が設けられており、この開閉カバー１１１の下方にカフ収容部が設けられている。そして、本体ケーシング１１０の前部上面に表示部１１４や操作部１１５が設けられている。また、本体ケーシング１１０の左側側部に後述するエア管１６０の引き込みユニット３５０（図１６および図１７参照）が配置されており、本体ケーシング１１０の側面には、引き込みユニット３５０のハンドル３５６が設けられている。なお、他の部分の構成は、実質的に上述の実施の形態１における血圧計とほぼ同様であり、その説明はここでは繰り返さない。
【０１１８】
図１６および図１７は、本実施の形態における血圧計の引き込みユニットの構造およびエア管の引き出し／引き込み動作を説明するための図である。図１６は、エア管が引き込みユニットに引き込まれた状態にある場合を示す図であり、図１６（Ａ）は、引き込みユニットを水平面に沿って切断した場合の断面図であり、図１６（Ｂ）は、引き込みユニットを図１６（Ａ）中に示すＸＶＩＢ−ＸＶＩＢ線に沿って切断した場合の断面図である。また、図１７は、エア管が引き込みユニットから引き出された状態にある場合を示す図であり、図１７（Ａ）は、引き込みユニットを水平面に沿って切断した場合の断面図であり、図１７（Ｂ）は、引き込みユニットを図１７（Ａ）中に示すＸＶＩＩＢ−ＸＶＩＩＢ線に沿って切断した場合の断面図である。
【０１１９】
まず、図１６および図１７を参照して、引き込みユニット３５０の構造について説明する。図１６および図１７に示すように、引き込みユニット３５０は、外殻を構成する下ケース３５１および上ケース３５２、巻き付け部材としてのボビン３５３、軸管３５４、および回転操作部としてのハンドル３５６を組み立てることによって形成されている。
【０１２０】
下ケース３５１は、底面が円板形状に形成された有底筒状の部材からなり、その外周部に本体ケーシング１１０に対して引き込みユニット３５０固定するための係止部３５１ａが設けられている。上ケース３５２は、底板が円板形状に形成された有底筒状の部材からなり、その中央部には、接続口３５２ａが設けられている。この接続口３５２ａは、引き込みユニット３５０が本体ケーシング１１０に組付けられた状態において、中継用エア管１３６が接続される部位である。下ケース３５１と上ケース３５２とは、それぞれの開口面が向き合うように取り付けられ、これにより内部に空間が形成される。
【０１２１】
ボビン３５３は、下ケース３５１と上ケース３５２とによって形成された上記空間内に回転自在に配置されている。上記空間は、エア管１６０が収容されるエア管収容部３５５となる。
【０１２２】
軸管３５４は、ボビン３５３の中央部に固定されており、ボビン３５３と一体に回転する。軸管３５４の上部には、上述の上ケース３５２に設けられた接続口３５２ａに一端が連通する通路が設けられており、この通路の他端は、軸管３５４の周面から外方に向かって突出して形成された接続口３５４ａに連通している。この接続口３５４ａには、エア管１６０が接続される。なお、上ケース３５２と軸管３５４との間には、気密性を確保するためにＯリング等のシール部材３５８が介装されている。
【０１２３】
軸管３５４の接続口３５４ａに一方の端部が取り付けられたエア管１６０は、ボビン３５３の周面に設けられた引き出し口３５３ａからボビン３５３の外側に向かって引き出されており、引き出された部分が上述のエア管収容部３５５内においてボビン３５３の周面に巻き付けられている。そして、エア管１６０の他方の端部は、下ケース３５１および上ケース３５２の外周部の所定位置に設けられたエア管引き出し口３５７から引き出しユニット３５０の外部へと引き出されている。
【０１２４】
軸管３５４の接続口３５２ａに対面する部分の端部とは反対側の端部には、上述のハンドル３５６が固定されている。このハンドル３５６は、下ケース３５１および上ケース３５２に対して回転自在であり、ハンドル３５６を図中矢印Ｇ方向に回転させることにより、軸管３５４およびボビン３５３が回転することになる。
【０１２５】
次に、エア管１６０の引き出し／引き込み動作について説明する。図１６に示すように、エア管１６０がエア管収容部３５５に収容された状態においては、エア管１６０は、ボビン３５３に巻き付けられた状態でエア管収容部３５５に収容される。そして、エア管１６０を引き出す際には、使用者が本体ケーシング１１０の外部に設けられたハンドル３５６を所定方向に回転させるか、あるいは本体ケーシング１１０引き出されている部分のエア管１６０を持ってエア管１６０を引っ張ることにより、ボビン３５３が図中矢印Ｃ１方向に向かって回転し、エア管１６０がエア管引き出し口１５７から図中矢印Ｂ１方向に向かって送り出される。
【０１２６】
図１７に示すように、エア管１６０が可能な限りエア管収容部３５５から引き出された状態においては、エア管１６０はボビン３５３に巻き付けられていない。この状態において、使用者がハンドル３５６を所定方向（エア管１６０を引き出す方向とは逆の方向）に回転させることにより、ボビン３５３が図中矢印Ｃ２方向に回転することになり、これに伴ってエア管１６０がエア管引き出し口３５７を介して図中矢印Ｂ２方向に向かって引き込みユニット３５０内へと引き込まれ、そしてボビン３５３によって巻き取られることになる。
【０１２７】
以上において説明した如くの引き込みユニット３５０を備えた血圧計とした場合にも、上述の実施の形態１における血圧計と同様に、引き込みユニット３５０によってエア管１６０が引き込みユニット３５０の内部に設けられたエア管収容部３５５に容易にかつ確実に収容されることとなるため、エア管１６０の収容性、特にエア管１６０の取扱い性に優れたものとなる。また、エア管１６０が引き込みユニット３５０によって本体ケーシング１１０の内部に収容されるため、エア管１６０が折り曲げられたり、捩じ曲げられたり等することによって破損することも防止可能となる。
【０１２８】
さらには、エア管収容部３５５内においてエア管１６０がボビン３５３に巻き付けられた状態でコンパクトに収容されることとなるため、引き込みユニット３５０が大型化することが防止でき、また比較的簡素な構成で引き込みユニット３５０を構成することが可能になる。また、ボビン３５３を用いてエア管１６０を収容することとなるため、引き出し／引き込み動作も容易に実現することが可能である。
【０１２９】
さらには、ハンドル３５６を含む引き込みユニット３５０をエア管１６０を送り出す送出手段としても利用することができるため、さらに取り扱い性に優れた血圧計とすることができる。また、本実施の形態における引き込みユニット３５０においては、弾性力を利用してエア管１６０を引き込む構成としていないため、エア管１６０を引き出して左腕の上腕部に装着した状態においても、テンションが上腕部にかかることがなく、測定精度を高く維持することが可能となり、また使用者に負担をかける心配もない。
【０１３０】
（実施の形態４）
図１８は、本発明の実施の形態４における血圧計の引き込みユニットの構造およびエア管の引き出し／引き込み動作を説明するための図であり、エア管が引き込みユニットに引き込まれた状態にある場合の引き込みユニットの模式断面図である。なお、本実施の形態における血圧計は、上述の実施の形態３における血圧計と引き込みユニットの構成を除いて同一であり、その説明はここでは繰り返さない。また、引き込みユニットの構成においても大部分は共通するため、その説明は一部省略する。
【０１３１】
まず、引き込みユニット４５０の構造について説明する。図１８に示すように、引き込みユニット４５０は、外殻を構成する下ケース４５１および上ケース４５２、巻き付け部材としてのボビン４５３、軸管４５４、および駆動手段としてのモータ４５６を組み立てることによって形成されている。下ケース４５１と上ケース４５２とは、それぞれの開口面が向き合うように取り付けられ、これにより内部に空間が形成され、この空間にボビン４５３が回転自在に配置されている。上記空間は、エア管１６０が収容されるエア管収容部４５５となる。軸管４５４は、ボビン４５３の中央部に固定されており、ボビン４５３と一体に回転する。
【０１３２】
エア管１６０は、ボビン４５３の周面に設けられた引き出し口４５３ａからボビン４５３の外側に向かって引き出されており、引き出された部分が上述のエア管収容部４５５内においてボビン４５３の周面に巻き付けられている。そして、エア管１６０の他方の端部は、下ケース４５１および上ケース４５２の外周部の所定位置に設けられたエア管引き出し口４５７から引き出しユニット４５０の外部へと引き出されている。
【０１３３】
軸管４５４の接続口４５２ａに対面する部分の端部とは反対側の端部には、上述のモータ４５６が取り付けられている。このモータ４５６は、軸管４５４を図中矢印Ｈ方向に回転駆動し、これによりボビン４５３を回転させる。なお、モータ４５６は駆動回路４５９ａによって駆動され、その回転動作は、操作部４５９ｃにおける使用者の操作に連動して制御部４５９ｂによって制御される。
【０１３４】
次に、エア管１６０の引き出し／引き込み動作について説明する。エア管１６０を引き込みユニット４５０から引き出す場合には、使用者が操作部４５９ｃを操作することにより、モータ４５６によって軸管４５４が所定方向に回転駆動される。これにより、ボビン４５３が所定方向に回転し、エア管１６０が引き込みユニット４５０から送り出される。反対に、エア管１６０を引き込みユニット４５０に引き込み場合には、使用者が操作部４５９ｃを操作することにより、モータ４５６によって軸管４５４が上述の方向とは逆の方向に回転駆動される。これにより、ボビン４５３が上述の方向とは逆の方向に回転し、エア管１６０が引き込みユニット４５０に引き込まれ、ボビン４５３に巻き取られることになる。
【０１３５】
以上において説明した如くの引き込みユニット４５０を備えた血圧計とした場合にも、上述の実施の形態３における血圧計と同様の効果を得ることができる。また、ハンドルを回転させる操作よりも容易なボタン操作でエア管１６０の引き出し／引き込み動作を行うことができるため、さらに利便性に優れた血圧計とすることができる。
【０１３６】
（実施の形態５）
図１９および図２０は、本発明の実施の形態５における血圧計の構造およびエア管の引き出し／引き込み動作を説明するための図であり、図１９は、エア管が引き込みユニットに引き込まれた状態にある場合の引き込みユニットの模式断面図であり、図２０は、エア管が引き込みユニットから引き出された状態にある場合の引き込みユニットの模式断面図である。なお、本実施の形態における血圧計は、上述の実施の形態１における血圧計と引き込みユニットの構成を除いて同一であり、その説明はここでは繰り返さない。
【０１３７】
まず、本実施の形態における血圧計の引き込みユニット５５０の構造について説明する。図１９および図２０に示すように、本実施の形態における血圧計１００においては、本体ケーシング１１０の後部にエア管１６０を収容するためのエア管収容部５５５が設けられ、この部分に引き込みユニット５５０が配設されている。引き込みユニット５５０は、開閉カバー１１１に連動して回転する回転力伝達機構としてのギア５５１と、このギア５５１に連動して回転するボビン５５３とを含む。ボビン５５３の周面には、エア管１６０が巻き付けられる。
【０１３８】
次に、エア管１６０の引き出し／引き込み動作について説明する。エア管１６０を引き出す場合には、図１９に示す状態において使用者が開閉カバー１１１を図２０中に示す矢印Ｉ方向に開ける。この開閉カバー１１１の回転動作に伴い、ギア５５１が図中矢印Ｊ方向に回転し、ギア５５１の回転がボビン５５３に伝達されてボビン５５３が図中矢印Ｋ方向に回転する。このボビン５５３の回転に伴い、エア管１６０が本体ケーシング１１０に設けられた開口部１２０から本体ケーシング１１０の外部へと送り出される。反対に、エア管１６０を引き込む場合には、使用者が開閉カバー１１１を閉じる。この開閉カバー１１１の回転動作に伴い、ギア５５１が上述の方向逆方向に回転し、ギア５５１の回転がボビン５５３に伝達されてボビン５５３が上述の方向とは反対方向に回転する。このボビン５５３の回転に伴い、エア管１６０が本体ケーシング１１０に設けられた開口部１２０から本体ケーシング１１０の内部へと引き込まれ、ボビン４５３に巻き取られることになる。
【０１３９】
以上において説明した如くの引き込みユニット５５０を備えた血圧計とすることにより、引き込みユニット５５０によってエア管１６０が引き込みユニット５５０が配設されたエア管収容部５５５に容易にかつ確実に収容されることとなるため、エア管１６０の収容性、特にエア管１６０の取扱い性に優れたものとなる。また、エア管１６０が引き込みユニット１５０によって本体ケーシング１１０の内部に収容されるため、エア管１６０が折り曲げられたり、捩じ曲げられたり等することによって破損することも防止可能となる。本実施の形態における血圧計１００においては、開閉カバー１１１の開閉動作に連動してエア管１６０の引き出し／引き込み動作が行なわれるようになるため、さらに取扱い性に優れたものとなる。
【０１４０】
（実施の形態６）
図２１および図２２は、本発明の実施の形態６における血圧計の構造およびエア管の引き出し／引き込み動作を説明するための図である。図２１は、エア管が引き込みユニットに引き込まれた状態にある場合の図であり、図２１（Ａ）は上面図であり、図２１（Ｂ）は、図２１（Ａ）中に示すＸＸＩＢ−ＸＸＩＢ線に沿った断面図である。また、図２２は、エア管が引き込みユニットから引き出された状態にある場合の図であり、図２２（Ａ）は上面図であり、図２２（Ｂ）は、図２２（Ａ）中に示すＸＸＩＩＢ−ＸＸＩＩＢ線に沿った断面図である。なお、本実施の形態における血圧計は、上述の実施の形態３における血圧計と引き込みユニットの構成を除いて同一であり、その説明はここでは繰り返さない。
【０１４１】
まず、本実施の形態における血圧計の引き込みユニット６５０の構造について説明する。図２１および図２２に示すように、本実施の形態における血圧計１００においては、本体ケーシング１１０の左側の側部にエア管１６０を収容するためのエア管収容部６５５が設けられ、この部分に引き込みユニット６５０が配設されている。引き込みユニット６５０は、エア管１６０を引っ掛け可能な引っ掛け部６５１，６５２を備えている。このうち引っ掛け部６５１は、移動不能に本体ケーシング１１０に固定されており、引っ掛け部６５２は、本体ケーシング１１０の壁面に前後方向に延びるように設けられたスリット１１９内を移動可能に取り付けられている。引っ掛け部６５２は、本体ケーシング１１０の壁部から突出するように配設されたスライドレバー６５３に固定されており、スライドレバー６５３を前後方向にスライドさせることにより、引っ掛け部６５２が本体ケーシング１１０の前後方向にスライドする。
【０１４２】
次に、エア管１６０の引き出し／引き込み動作について説明する。エア管１６０を引き出す場合には、図２１に示す状態において使用者がスライドレバー６５３を本体ケーシングの前方に向かって（図２２に示す矢印Ｌ方向に向かって）スライド移動させる。このスライドレバー６５３の移動動作に伴い、引っ掛け部６５２が図中矢印Ｌ方向に向かって移動し、エア管収容部６５５に蛇行状に収容されていたエア管を引き出すことが可能になる。反対に、エア管１６０を引き込む場合には、使用者が使用者がスライドレバー６５３を上述の方向とは反対の方向にスライド移動させる。このスライドレバー６５３の移動動作に伴い、引っ掛け部６５２が上述の方向とは反対の方向に向かって移動し、エア管１６０をエア管収容部６５５内に引き込み、蛇行状に収容する。
【０１４３】
以上において説明した如くの引き込みユニット６５０を備えた血圧計とすることにより、引き込みユニット６５０によってエア管１６０が引き込みユニット６５０が配設されたエア管収容部６５５に容易にかつ確実に収容されることとなるため、エア管１６０の収容性、特にエア管１６０の取扱い性に優れたものとなる。また、エア管１６０が引き込みユニット１５０によって本体ケーシング１１０の内部に収容されるため、エア管１６０が折り曲げられたり、捩じ曲げられたり等することによって破損することも防止可能となる。本実施の形態における血圧計１００においては、スライドレバー６５３のスライド動作によってエア管１６０の引き出し／引き込みが可能となるため、簡便な操作によってエア管の出し入れが可能になる。
【０１４４】
なお、本実施の形態における血圧計１００においては、使用者がエア管１６０を持って引っ張ることによりエア管１６０が本体ケーシング１１０の外部に送り出されるように構成した場合を例示して説明を行なったが、これに代え、別途、本体ケーシング１１０に、エア管１６０を案内して所定の方向へと導く案内手段を設けることとしてもよい。その場合に、スライドレバー３５６のスライド動作に連動して上記案内手段が作動するように構成すれば、上記スライドレバー６５３のスライド移動に連動してエア管１６０が本体ケーシング１１０の外部に自動で送り出されるようにすることができる。なお、案内手段としては、エア管１６０を両側から挟み込んで所定方向に案内する駆動ローラおよび従動ローラ対などを利用することが可能である。
【０１４５】
（実施の形態７）
図２３は、本発明の実施の形態７における血圧計の外観を示す斜視図であり、開閉カバーを開いた状態においてカフを本体ケーシングから取り出した状態を示す斜視図である。なお、本実施の形態における血圧計は、上述の実施の形態１における血圧計と引き込みユニットの構成を除いて同一であり、引き込みユニットに関する部分以外の説明はここでは繰り返さない。
【０１４６】
図２３に示すように、本実施の形態における血圧計１００においては、引き込み手段である引き込みユニット７５０が、本体ケーシング１１０の外部に設けられ、具体的にはエア管１６０の途中位置に設けられている。この引き込みユニット７５０は、血圧計の非使用時において、カフ１７０と一緒に本体ケーシング１１０の前部に設けられたカフ収容部１１８に収容される。
【０１４７】
図２４および図２５は、本実施の形態における血圧計の引き込みユニットの構造およびエア管の引き出し／引き込み動作を説明するための図である。図２４は、エア管が引き込みユニットに引き込まれた状態にある場合を示す図であり、図２４（Ａ）は、引き込みの断面図であり、図２４（Ｂ）は、引き込みユニットの側面図である。また、図２５は、エア管が引き込みユニットから引き出された状態にある場合を示す図であり、図２５（Ａ）は、引き込みユニットの断面図であり、図２５（Ｂ）は、引き込みユニットの側面図である。
【０１４８】
まず、図２４および図２５を参照して、引き込みユニット７５０の構造について説明する。図２４および図２５に示すように、引き込みユニット７５０は、外殻を構成するケース７５１、巻き付け部材としてのボビン７５３、および弾性部材としての渦巻きバネ７５６を組み立てることによって形成されている。
【０１４９】
ケース７５１は、２枚の略矩形の板状部材を平行に配置するとともにこれら２枚の板状部材を連結する支柱を設けることにより、内部に空間が形成されるように構成されている。この空間は、エア管１６０が収容されるエア管収容部７５５Ａとなる。また、ケース７５１の中央部には、一方の板状部材から他方の板状部材に向けて突出する軸部７５１ａが設けられている。ボビン７５３は、上記２枚の板状部材の間に形成された空間内に回転自在に配置されており、その内部にバネ収容室７５５Ｂを有している。バネ収容室７５５Ｂには、渦巻きバネ７５６が収容されている。
【０１５０】
ボビン７５３の内部には孔が穿たれており、この孔にはエア管１６０が挿通されている。これにより、ボビン７５３の周面の相対する位置からエア管１６０が引き出される。ボビンか７５３から引き出されたエア管１６０の一方の端部は、本体ケーシング１１０に設けられた膨縮手段に接続されており、他方の端部は、カフ１７０に内包された空気袋１５１に接続されている。
【０１５１】
ケース７５１の一方の板状部材には、円板状の歯板７５７が取り付けられている。この歯板７５７は、図示しないバネ等の弾性部材により、上述のケース７５１に向けて押圧付勢されている。歯板７５７の中央部には、摘み７５７ａが設けられている。ケース７５１の歯板７５７が取り付けられた板状部材の所定位置には、エア管固定手段としてのストッパ７５８が設けられている。このストッパ７５８は、歯板７５７の外周面に設けられた歯に噛合することにより、歯板７５７の回転を一方向において制限する。なお、上述のボビン７５３には、歯板７５７に向けて突出する断面十字形状の回転伝達部７５３ａが設けられており、その先端は歯板７５７の略中央部に設けられた十字溝に噛み合っている。したがって、ストッパ７５８は、歯板７５７を介してボビン７５３を一方向に回転不能に固定しており、これによりエア管１６０を間接的に固定している。
【０１５２】
渦巻きバネ７５６は、上述のバネ収容室７５５Ｂ内に収容されており、一端がケース７５１の軸部７５１ａに固定されており、他端がボビン７５３の内周面の所定位置に固定されている。
【０１５３】
次に、エア管１６０の引き出し／引き込み動作について説明する。図２４に示すように、エア管１６０がエア管収容部７５５Ａに収容された状態においては、エア管１６０は、ボビン７５３に巻き付けられた状態でエア管収容部７５５Ａに収容される。この状態において、渦巻きバネ７５６には外力が加わっておらず、渦巻きバネ７５６はほぼ自由状態にある。そして、エア管１６０を引き出す際には、使用者が引き込みユニット７５０から相対する方向に向かって引き出されているエア管１６０を把持して外側に引っ張ることにより、エア管１６０が図中矢印Ｍ１，Ｍ２方向に引っ張られ、これによりボビン７５３が図中矢印Ｎ１方向に向かって回転し、エア管１６０が引き込みユニット７５０の外部へ送り出される。なお、この際のボビン７５３の回転方向は、上述のストッパ７５８によってボビン７５３の回転が制限される方向とは反対方向であり、ボビン７５３の回転が制限されることなくエア管１６０を引き出すことが可能である。
【０１５４】
ボビン７５３の回転に伴い、ボビン７５３の内周面にその一端が固定された渦巻きバネ７５６にも回転方向に力が加わり、この力によって渦巻きバネ７５６が弾性変形することになる。この弾性変形に伴い、渦巻きバネ７５６には復元力が生じることになるが、上述のストッパ７５８の存在により、エア管１６０は引き込みユニット７５０から所望の量だけ引き出された状態で固定されることになる。
【０１５５】
図２５に示すように、エア管１６０が可能な限りエア管収容部７５５Ａから引き出された状態においては、エア管１６０はボビン７５３に巻き付けられておらず、渦巻きバネ７５６には上述の復元力が生じている。この状態において、使用者が、図２５（Ａ）に示すように歯板７５７の摘み７５７ａを摘んで図中矢印Ｏ方向に引っ張ることにより、歯板７５７に設けられた十字溝とボビン７５３の断面十字形状の回転伝達部７５３ａとの噛み合わせが解除され、渦巻きバネ７５６が有している復元力によってボビン７５３が図２５（Ｂ）中の矢印Ｎ２方向に向かって回転し、これに伴ってエア管１６０が図中矢印Ｍ１，Ｍ２方向に引き込まれる。引き込まれたエア管１６０は、引き込みユニット７５０内においてボビン７５３によって巻き取られる。
【０１５６】
以上において説明したように、本実施の形態における血圧計１００にあっては、引き込みユニット７５０によってエア管１６０が引き込みユニット７５０の内部に設けられたエア管収容部７５５Ａに容易にかつ確実に収容されることとなるため、エア管１６０の収容性、特にエア管１６０の取扱い性に優れたものとなる。また、エア管１６０が引き込みユニット７５０内に収容されるため、エア管１６０が折り曲げられたり、捩じ曲げられたり等することによって破損することも防止可能となる。
【０１５７】
さらには、エア管収容部７５５Ａ内においてエア管１６０がボビン７５３に巻き付けられた状態でコンパクトに収容されることとなるため、引き込みユニット７５０が大型化することが防止でき、また比較的簡素な構成で引き込みユニット７５０を構成することが可能になる。また、ボビン７５３を用いてエア管１６０を収容することとなるため、引き出し／引き込み動作も容易に実現することが可能である。
【０１５８】
さらには、渦巻きバネ７５６の弾性力を利用してエア管１６０の引き込みが行えるようになるため、エア管１６０の取扱い性に優れた血圧計とすることができる。また、エア管固定手段としてのストッパ７５８によってエア管１６０が任意の長さに調節された状態で固定することができるため、利便性に優れた血圧測定装置とすることができる。また、エア管１６０を引き出して左腕の上腕部に装着した状態においても、エア管固定手段によって渦巻きバネ７５６の復元力が上腕部にかかることも防止されるため、測定精度を高く維持することが可能となり、また使用者に負担をかける心配もない。
【０１５９】
上述の実施の形態１ないし７においては、オシロメトリック方式の血圧計を例示して説明を行なったが、当然にコロトコフ法を採用した血圧計にも適用可能である。その場合には、本体ケーシングとカフとを接続するように設けられる信号線を上述のエア管と一体に複合線として構成してもよいし、それぞれを別々に構成してもよい。
【０１６０】
また、上述の実施の形態１に示したエア管固定手段は、エア管に摩擦力を働かせてエア管を固定するように構成したものであるが、この他にもボビンの回転を段階的に固定するラッチ機構を引き込みユニットに設けることでエア管を固定するように構成することも可能である。
【０１６１】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【０１６２】
【図１】本発明の実施の形態１における血圧計の外観を示す図であり、開閉カバーを閉じた状態を示す斜視図である。
【図２】本発明の実施の形態１における血圧計の外観を示す図であり、開閉カバーを開いた状態を示す斜視図である。
【図３】本発明の実施の形態１における血圧計の外観を示す図であり、開閉カバーを開いた状態においてカフを本体ケーシングから取り出した状態を示す斜視図である。
【図４】本発明の実施の形態１における血圧計の底面図である。
【図５】本発明の実施の形態１における血圧計の構成を示すブロック図である。
【図６】本発明の実施の形態１における血圧計の血圧測定処理の流れを示すフローチャートである。
【図７】本発明の実施の形態１における血圧計の内部構造を示す模式断面図である。
【図８】本発明の実施の形態１における血圧計において、エア管が引き込みユニットに引き込まれた状態を示す図である。
【図９】本発明の実施の形態１における血圧計において、エア管が引き込みユニットから引き出された状態を示す図である。
【図１０】本発明の実施の形態１における血圧計のエア管の固定構造を示す図である。
【図１１】本発明の実施の形態１における血圧計において、本体ケーシングに設けられたエア管引き出しのための開口部の形成位置を説明するための血圧計の上面図である。
【図１２】本発明の実施の形態１における血圧計のエア管の接続構造を説明するための図である。
【図１３】本発明の実施の形態２における血圧計において、エア管が引き込みユニットに引き込まれた状態を示す図である。
【図１４】本発明の実施の形態２における血圧計において、エア管が引き込みユニットに引き出された状態を示す図である。
【図１５】本発明の実施の形態３における血圧計の外観を示す斜視図である。
【図１６】本発明の実施の形態３における血圧計において、エア管が引き込みユニットに引き込まれた状態を示す図である。
【図１７】本発明の実施の形態３における血圧計において、エア管が引き込みユニットから引き出された状態を示す図である。
【図１８】本発明の実施の形態４における血圧計の引き込みユニットの模式断面図である。
【図１９】本発明の実施の形態５における血圧計において、エア管が引き込みユニットに引き込まれた状態を示す図である。
【図２０】本発明の実施の形態５における血圧計において、エア管が引き込みユニットから引き出された状態を示す図である。
【図２１】本発明の実施の形態６における血圧計において、エア管が引き込みユニットに引き込まれた状態を示す図である。
【図２２】本発明の実施の形態６における血圧計において、エア管が引き込みユニットから引き出された状態を示す図である。
【図２３】本発明の実施の形態７における血圧計の外観を示す図であり、開閉カバーを開いた状態においてカフを本体ケーシングから取り出した状態を示す斜視図である。
【図２４】本発明の実施の形態７における血圧計において、エア管が引き込みユニットに引き込まれた状態を示す図である。
【図２５】本発明の実施の形態７における血圧計において、エア管が引き込みユニットから引き出された状態を示す図である。
【符号の説明】
【０１６３】
１００  血圧計、１１０  本体ケーシング、１１０ａ  隔壁、１１１  開閉カバー、１１２  ヒンジ、１１３  開閉ボタン、１１４  表示部、１１４ａ  表示部支持枠、１１５  操作部、１１６  脚部、１１６ａ  ゴム部材、１１８  カフ収容部、１１９  スリット、１２０  開口部、１２１  回路基板、１２３  メモリ部、１２４  弁、１２４  電源部、１２５  発振回路、１２６  ポンプ駆動回路、１２７  弁駆動回路、１３１  血圧測定用エア系、１３２  圧力センサ、１３３  膨縮手段、１３４  ポンプ、１３５  弁、１３６  中継用エア管、１４０  ロック解除ボタン、１４０ａ  後方端、１４１  ロック部材、１４１ａ  ロック部、１４２  バネ、１４４  内側枠体、１５０  引き込みユニット、１５１  下ケース、１５１ａ  係止部、１５２  上ケース、１５２ａ  接続口、１５３ａ  引き出し口、１５４  軸管、１５４ａ  接続口、１５５Ａ  エア管収容部、１５５Ｂ  バネ収容部、１５６  渦巻きバネ、１５７  引き出し口、１５８  シール部材、１６０  エア管、１６１  本体ケーシング側エア管、１６２  カフ側エア管、１６３  コネクタ、１６３Ａ  第１コネクタ部材、１６３Ｂ  第２コネクタ部材、１６３ａ，１６３ｂ  突起部、１７０  カフ、１７１  空気袋、１９０  ボビン、１９１  ＡＣアダプタ、２５０  引き込みユニット、２５１  ケース、２５１ａ  接続口、２５１ｂ  引き出し口、２５２ａ〜２５２ｄ  ガイド軸、２５３ａ〜２５３ｄ  ガイドロール、２５４ａ〜２５４ｄ  コイルバネ、２５５  エア管収容部、３５０  引き込みユニット、３５１  下ケース、３５１ａ  係止部、３５２  上ケース、３５２ａ  接続口、３５３  ボビン、３５３ａ  引き出し口、３５４  軸管、３５４ａ  接続口、３５５  エア管収容部、３５６  ハンドル、３５７  引き出し口、３５８  シール部材、４５０  引き込みユニット、４５１  下ケース、４５２  上ケース、４５２ａ  接続口、４５３  ボビン、４５３ａ  引き出し口、４５４  軸管、４５５  エア管収容部、４５６  モータ、４５７  引き出し口、４５９ａ  駆動回路、４５９ｂ  制御部、４５９ｃ  操作部、５５０  引き込みユニット、５５１  ギア、５５３  ボビン、５５５  エア管収容部、６５０  引き込みユニット、６５１，６５２  引っ掛け部、６５３  スライドレバー、６５５  エア管収容部、７５０  引き込みユニット、７５１  ケース、７５１ａ  軸部、７５３  ボビン、７５３ａ  回転伝達部、７５５Ａ  エア管収容部、７５５Ｂ  バネ収容室、７５６  渦巻きバネ、７５７  ストッパ、７５７  歯板。
【図１】
0004687323.tif 000002
【図２】
0004687323.tif 000003
【図３】
0004687323.tif 000004
【図４】
0004687323.tif 000005
【図５】
0004687323.tif 000006
【図６】
0004687323.tif 000007
【図７】
0004687323.tif 000008
【図８】
0004687323.tif 000009
【図９】
0004687323.tif 000010
【図１０】
0004687323.tif 000011
【図１１】
0004687323.tif 000012
【図１２】
0004687323.tif 000013
【図１３】
0004687323.tif 000014
【図１４】
0004687323.tif 000015
【図１５】
0004687323.tif 000016
【図１６】
0004687323.tif 000017
【図１７】
0004687323.tif 000018
【図１８】
0004687323.tif 000019
【図１９】
0004687323.tif 000020
【図２０】
0004687323.tif 000021
【図２１】
0004687323.tif 000022
【図２２】
0004687323.tif 000023
【図２３】
0004687323.tif 000024
【図２４】
0004687323.tif 000025
【図２５】
0004687323.tif 000026